(57)【要約】【課題】軽くてコンパクトであるとともに、持ち運びが容易でどこでも使用が可能な足つぼマッサージ具を提供すること。【解決手段】足裏の一部に局部的に当接する突部１と、該突部１を支持する切断可能な薄板部２と、粘着付与剤を含有するエラストマーからなり、薄板部２の裏面に固着されたマット部３とを備える。【選択図】図１
0003138874.tif 000002
【実用新案登録請求の範囲】
【請求項１】
足裏に局部的に当接する突部と、該突部を支持する切断可能な薄板部と、粘着付与剤を含有するエラストマーからなり、薄板部の裏面に固着されたマット部とを備えたことを特徴とする足つぼマッサージ具。
【請求項２】
マット部をウレタンエラストマーで形成したことを特徴とする請求項１記載の足つぼマッサージ具。
【考案の詳細な説明】
【技術分野】
【０００１】
本考案は、足つぼマッサージ具に関し、特に、軽くてコンパクトであるとともに、持ち運びが容易でどこでも使用が可能な足つぼマッサージ具に関するものである。
【背景技術】
【０００２】
従来、足裏に刺激を付与したり、足裏の筋肉をほぐしたりして血行を促進する足つぼマッサージ具として、下記の特許文献１に記載のものがある。
【０００３】
この足つぼマッサージ具は、足裏の一部に当接する揉みローラーを設けるとともに、該揉みローラーを上方に突出させて回転自在に支持するベースを設けてなり、揉みローラーに足を載せて前後に移動させると、揉みローラーが足裏に沿って転動し、足裏を順次局部的に押圧することができる。
【０００４】
しかしながら、この足つぼマッサージ具は、揉みローラーを回動可能に支持するために、器具全体が大きくなって気軽に携行することができず、また、使用する際には、ベースを床に載置する必要があるため、使用場所が限定されるという問題があった。
【特許文献１】特開２００５−２８８１３７号公報
【考案の開示】
【考案が解決しようとする課題】
【０００５】
本考案は、上記従来の足つぼマッサージ具が有する問題点に鑑み、軽くてコンパクトであるとともに、持ち運びが容易でどこでも使用が可能な足つぼマッサージ具を提供することを目的とする。
【課題を解決するための手段】
【０００６】
上記目的を達成するため、本考案の足つぼマッサージ具は、足裏に局部的に当接する突部と、該突部を支持する切断可能な薄板部と、粘着付与剤を含有するエラストマーからなり、薄板部の裏面に固着されたマット部とを備えたことを特徴とする。
【０００７】
この場合において、マット部をウレタンエラストマーで形成することができる。
【考案の効果】
【０００８】
本考案の足つぼマッサージ具によれば、足裏に局部的に当接する突部と、該突部を支持する切断可能な薄板部と、粘着付与剤を含有するエラストマーからなり、薄板部の裏面に固着されたマット部とを備えることから、薄板部をマット部とともに自由な大きさに切断し、例えば、机の足かけにマット部の感圧性粘着力により固定できるなど、軽くてコンパクトであるとともに、持ち運びが容易でどこでも使用が可能である。
【０００９】
この場合、マット部は突部を弾力的に支持してマッサージ効果を高めるとともに、その強い感圧性粘着力により足つぼマッサージ具を様々に場所に着脱可能に固定することができる。
【００１０】
また、マット部をウレタンエラストマーで形成することにより、粘着付与材による強固な粘着性を発揮するとともに、マット部の弾力性を長期に亘って維持することができる。
【考案を実施するための最良の形態】
【００１１】
以下、本考案の足つぼマッサージ具の実施の形態を、図面に基づいて説明する。
【実施例１】
【００１２】
図１に、本考案の足つぼマッサージ具の一実施例を示す。
【００１３】
この足つぼマッサージ具は、足裏の一部に局部的に当接する突部１と、該突部１を支持する切断可能な薄板部２と、粘着付与剤を含有するエラストマーからなり、薄板部２の裏面に固着されたマット部３とを備えている。
【００１４】
突部１は、円柱形を基本として約２０ｍｍの高さを有し、大径の頭部１１の下に首部１２を備えるとともに、首部１２の下に頭部１１より大径の台座１３を備えている。
【００１５】
本実施例では、頭部１１の直径が約１５ｍｍ、首部１２の直径が約７〜８ｍｍ、台座１３の直径が約４５ｍｍであり、これら頭部１１、首部１２及び台座１３を硬質プラスチックにより一体に形成している。
【００１６】
薄板部２は、本実施例では、１３０ｍｍ×９０ｍｍ、厚さ約２ｍｍの発泡ポリスチレン等の発泡樹脂板からなり、適度な可撓性を備えている。
【００１７】
この薄板部２は、ハサミやカッターなどにより、任意の大きさや形状に容易に切断することができる。
【００１８】
マット部３は、ゴム状弾性を有するウレタンエラストマーからなり、製造時に添加された粘着付与材の強固な感圧性粘着力により、薄板部２の裏面に固着されている。
【００１９】
マット部３の裏面には剥離紙４が貼付されており、該剥離紙４を剥がすことにより、任意の場所に着脱可能に強固に粘着固定することができる。
【００２０】
また、マット部３は、本実施例では約５ｍｍの厚さを有し、足裏で押圧される突部１を薄板部２を介して弾力的に支持し、適度な収縮と反発によりマッサージ効果を高めることができる。
【００２１】
かかる構成の足つぼマッサージ具は、剥離紙４を剥がして机や椅子の足かけ等に貼着固定し、突部１が足裏のつぼに当たるように足を押し当てて使用する。
【００２２】
この際、薄板部２とマット部３を固定場所に合わせて適当な大きさに切断することができ、また、マット部３のエラストマーによる弾性変形により、固定場所に多少の不陸があっても強固に貼着固定することができる。
【００２３】
かくして、本実施例の足つぼマッサージ具は、足裏に局部的に当接する突部１と、該突部１を支持する切断可能な薄板部２と、粘着付与剤を含有するエラストマーからなり、薄板部２の裏面に固着されたマット部３とを備えることから、薄板部２をマット部３とともに自由な大きさに切断し、例えば、机の足かけにマット部３の感圧性粘着力により固定できるなど、軽くてコンパクトであるとともに、持ち運びが容易でどこでも使用が可能である。
【００２４】
この場合、マット部３は突部１を弾力的に支持してマッサージ効果を高めるとともに、その強い感圧性粘着力により足つぼマッサージ具を様々に場所に着脱可能に固定することができる。
【００２５】
また、マット部３をウレタンエラストマーで形成することにより、粘着付与材による強固な粘着性を発揮するとともに、マット部３の弾力性を長期に亘って維持することができる。
【００２６】
以上、本考案の足つぼマッサージ具について、その実施例に基づいて説明したが、本考案は上記実施例に記載した構成に限定されるものではなく、その趣旨を逸脱しない範囲において適宜その構成を変更することができる。
【産業上の利用可能性】
【００２７】
本考案の足つぼマッサージ具は、軽くてコンパクトであるとともに、持ち運びが容易でどこでも使用が可能であるという特性を有していることから、例えば、利便性に優れた携行用の足つぼマッサージ具品として、広く好適に使用することができる。
【図面の簡単な説明】
【００２８】
【図１】本考案の足つぼマッサージ具の一実施例を示し、（ａ）はその斜視図、（ｂ）は（ａ）のＡ−Ａ線断面図である。
【符号の説明】
【００２９】
１    突部
２    薄板部
３    マット部
４    剥離紙
【図１】
0003138874.tif 000003